(57)【要約】【課題】エネルギーの使用料金の支払いにポイントを使用する仕組みを提供する。【解決手段】料金算出装置は、エネルギーの使用料金の支払いに使用されるポイントの数を示すポイント数情報に基づいて、前記ポイントの価値を算出する価値算出部と、前記価値算出部が算出した前記価値と、前記エネルギーの供給を受ける第１対象者が使用する前記エネルギーの使用量を示す使用量情報である第１使用量情報とに基づいて、前記第１対象者の前記エネルギーの使用料金である第１料金から前記価値に応じた料金が差し引かれた第１請求料金を算出する料金算出部と、前記料金算出部が算出した前記第１請求料金を出力する出力部と、を備える。【選択図】図１
2018041370.tif 000002
【特許請求の範囲】
【請求項１】
エネルギーの使用料金の支払いに使用されるポイントの数を示すポイント数情報に基づいて、前記ポイントの価値を算出する価値算出部と、
前記価値算出部が算出した前記価値と、前記エネルギーの供給を受ける第１対象者が使用する前記エネルギーの使用量を示す使用量情報である第１使用量情報とに基づいて、前記第１対象者の前記エネルギーの使用料金である第１料金から前記価値に応じた料金が差し引かれた第１請求料金を算出する料金算出部と、
前記料金算出部が算出した前記第１請求料金を出力する出力部と、
を備える料金算出装置。
【請求項２】
前記価値算出部は、
前記前記エネルギーの供給を受ける第２対象者が前記第１対象者に付与する前記ポイントである贈呈ポイントの数を示す贈呈ポイント数情報に基づいて、前記贈呈ポイントの価値である贈呈価値を算出し、
前記料金算出部は、
前記価値算出部が算出した前記贈呈価値と、前記第１使用量情報とに基づいて、前記第１料金から前記贈呈価値に応じた料金が差し引かれた前記第１請求料金を算出するとともに、前記価値算出部が算出した前記贈呈価値と、前記第２対象者が使用する前記エネルギーの使用量を示す使用量情報である第２使用量情報とに基づいて、前記第２対象者の前記エネルギーの使用料金である第２料金に前記贈呈価値に応じた料金が加えられた第２請求料金を算出する
請求項１に記載の料金算出装置。
【請求項３】
前記贈呈ポイント数情報には、
前記ポイントが使用される時間帯又は前記ポイントが使用される前記エネルギーの属性が含まれる
請求項２に記載の料金算出装置。
【請求項４】
前記価値算出部は、
前記エネルギーを供給する時間帯又は前記エネルギーの属性に応じた前記ポイントの価値を示すポイント価値情報に更に基づいて、前記ポイントの価値を算出する
請求項１から請求項３のいずれか一項に記載の料金算出装置。
【請求項５】
前記使用量情報とは、
前記エネルギーの使用量と、前記エネルギーが使用される時刻とが関連付けられた情報である
請求項１から請求項４のいずれか一項に記載の料金算出装置。
【請求項６】
コンピュータに、
エネルギーの使用料金の支払いに使用されるポイントの数を示すポイント数情報に基づいて、前記ポイントの価値を算出する価値算出ステップと、
前記価値算出ステップが算出した前記価値と、前記エネルギーの供給を受ける第１対象者が使用する前記エネルギーの使用量を示す使用量情報である第１使用量情報とに基づいて、前記第１対象者の前記エネルギーの使用料金である第１料金から前記価値に応じた料金が差し引かれた第１請求料金を算出する料金算出ステップと、
前記料金算出ステップが算出した前記第１請求料金を出力する出力ステップと、
を実行させるための料金算出プログラム。
【発明の詳細な説明】
【技術分野】
【０００１】
本発明は、料金算出装置及び料金算出プログラムに関する。
【背景技術】
【０００２】
従来、電気自動車を充電スタンドで充電する際、充電する電力の代金に応じたポイントを付与する技術が知られている（例えば、特許文献１）。
【先行技術文献】
【特許文献】
【０００３】
【特許文献１】特開２０１４−７５９６９号公報
【発明の概要】
【発明が解決しようとする課題】
【０００４】
特許文献１には、電気自動車の所有者が累積したポイントを、電気自動車が充電する電力の代金の支払いに充てることにより、当該代金からポイントに応じた金額の値引きを受けることが記載されている。
ここで、電力やガス等のエネルギーを供給する供給会社からエネルギーの供給を受ける対象者は、電気自動車に関する支払いだけではなく、エネルギーの使用料金の支払いにポイントを充てたい場合がある。
しかしながら、従来の技術では、電気自動車の所有者は、累積したポイントを当該電気自動者に関する支払い以外に使用することが困難である場合があった。
本発明は、上記問題に鑑みて為されたものであり、エネルギーの使用料金の支払いにポイントを使用する仕組みを提供することを目的とする。
【課題を解決するための手段】
【０００５】
本発明の一態様は、エネルギーの使用料金の支払いに使用されるポイントの数を示すポイント数情報に基づいて、前記ポイントの価値を算出する価値算出部と、前記価値算出部が算出した前記価値と、前記エネルギーの供給を受ける第１対象者が使用する前記エネルギーの使用量を示す使用量情報である第１使用量情報とに基づいて、前記第１対象者の前記エネルギーの使用料金である第１料金から前記価値に応じた料金が差し引かれた第１請求料金を算出する料金算出部と、前記料金算出部が算出した前記第１請求料金を出力する出力部と、を備える料金算出装置である。
【０００６】
また、本発明の一態様の料金算出装置において、前記価値算出部は、前記前記エネルギーの供給を受ける第２対象者が前記第１対象者に付与する前記ポイントである贈呈ポイントの数を示す贈呈ポイント数情報に基づいて、前記贈呈ポイントの価値である贈呈価値を算出し、前記料金算出部は、前記価値算出部が算出した前記贈呈価値と、前記第１使用量情報とに基づいて、前記第１料金から前記贈呈価値に応じた料金が差し引かれた前記第１請求料金を算出するとともに、前記価値算出部が算出した前記贈呈価値と、前記第２対象者が使用する前記エネルギーの使用量を示す使用量情報である第２使用量情報とに基づいて、前記第２対象者の前記エネルギーの使用料金である第２料金に前記贈呈価値に応じた料金が加えられた第２請求料金を算出する。
【０００７】
また、本発明の一態様の料金算出装置において、前記贈呈ポイント数情報には、前記ポイントが使用される時間帯又は前記ポイントが使用される前記エネルギーの属性が含まれる。
【０００８】
また、本発明の一態様の料金算出装置において、前記価値算出部は、前記エネルギーを供給する時間帯又は前記エネルギーの属性に応じた前記ポイントの価値を示すポイント価値情報に更に基づいて、前記ポイントの価値を算出する。
【０００９】
また、本発明の一態様の料金算出装置において、前記使用量情報とは、前記エネルギーの使用量と、前記エネルギーが使用される時刻とが関連付けられた情報である。
【００１０】
また、本発明の一態様は、コンピュータに、エネルギーの使用料金の支払いに使用されるポイントの数を示すポイント数情報に基づいて、前記ポイントの価値を算出する価値算出ステップと、前記価値算出ステップが算出した前記価値と、前記エネルギーの供給を受ける第１対象者が使用する前記エネルギーの使用量を示す使用量情報である第１使用量情報とに基づいて、前記第１対象者の前記エネルギーの使用料金である第１料金から前記価値に応じた料金が差し引かれた第１請求料金を算出する料金算出ステップと、前記料金算出ステップが算出した前記第１請求料金を出力する出力ステップと、を実行させるための料金算出プログラムである。
【発明の効果】
【００１１】
本発明によれば、エネルギーの使用料金の支払いにポイントを使用する仕組みを提供することができる。
【図面の簡単な説明】
【００１２】
【図１】第１実施形態の料金算出装置の概要を示す図である。
【図２】第１実施形態の料金算出装置の構成の一例を示す図である。
【図３】第１実施形態の料金算出装置の動作の一例を示す流れ図である。
【図４】第２実施形態の料金算出装置の概要を示す図である。
【図５】第２実施形態の料金算出装置の構成を示す図である。
【図６】第３実施形態の料金算出装置の構成の一例を示す図である。
【図７】第３実施形態のポイント価値情報の一例を示す表である。
【図８】第３実施形態の料金算出装置の構成の一例を示す図である。
【発明を実施するための形態】
【００１３】
［第１実施形態：料金算出装置の概要］
以下、図を参照して本発明の実施形態について説明する。
図１は、第１実施形態の料金算出装置１の概要を示す図である。
図１に示す通り、エネルギー供給会社ＥＣには、料金算出装置１が備えられる。エネルギー供給会社ＥＣとは、電気、ガス、水道等のエネルギーの供給を受ける対象者ＥＰに当該エネルギーの供給を行う事業者である。この一例では、エネルギー供給会社ＥＣが電力供給会社である場合について説明する。電力供給会社には、一般電気事業者及び小売電気事業者が含まれる。
料金算出装置１は、情報の送受信が可能なネットワークＮを介して家屋Ｈ及びデータセンターＤＣと接続される。
家屋Ｈとは、対象者ＥＰが居住する住宅及びマンション等である。家屋Ｈと電力供給会社とが、電力の使用契約を結ぶことにより、家屋Ｈには、電力が供給される。具体的には、家屋Ｈ１に居住するＡさんと、電力供給会社との間において、電力の使用契約が結ばれる。Ａさんとは、電力供給会社と電力の使用契約を結び、電力の供給を受ける対象者ＥＰのうち、第１対象者ＥＰ１である。Ａさんは、家屋Ｈ１において使用される電力の使用料金を電力供給会社に支払う。
【００１４】
ここで、家屋Ｈは計測器ＳＭを備える。計測器ＳＭとは、例えば、電力量計である。以降の説明において、家屋Ｈ１が備える計測器ＳＭを計測器ＳＭ１と記載する。計測器ＳＭ１は、家屋Ｈ１において第１対象者ＥＰ１が使用する電力の電力量を計測する。
計測器ＳＭは、ネットワークＮに接続され、所定の時間毎に使用量情報ＡＵを料金算出装置１にネットワークＮを介して送信する。使用量情報ＡＵとは、エネルギーの供給を受ける対象者ＥＰが使用するエネルギーの使用量を示す情報である。
この一例では、使用量情報ＡＵとは、家屋Ｈにおいて対象者ＥＰが使用する電力の電力量を示す情報である。所定の時間とは、例えば、一か月である。計測器ＳＭは、家屋Ｈにおいて使用される電力の電力量を示す使用量情報ＡＵを一か月毎に料金算出装置１に送信する。
以降の説明において、エネルギーの供給を受ける第１対象者ＥＰ１が使用するエネルギーの使用量を示す使用量情報ＡＵを第１使用量情報ＡＵ１と記載する。この一例では、第１使用量情報ＡＵ１とは、Ａさんが使用する電力の使用量情報ＡＵである。
【００１５】
なお、上述では、電力供給会社から電力が供給される対象が家屋Ｈである場合について説明したが、これに限られない。電力供給会社から電力が供給される対象は、ビルや商業施設等であってもよい。つまり、家屋Ｈとは、電力供給会社から電力の供給を受ける施設の一例である。
ここで、電力供給会社は、電力を供給するに際して行う使用契約毎に計測器ＳＭを設置する場合がある。例えば、マンションやビル等においては、計測器ＳＭが複数備えられる場合がある。この場合、計測器ＳＭは、計測器ＳＭ毎に使用量情報ＡＵを料金算出装置１に送信する。
【００１６】
データセンターＤＣは、サーバＳＶを備える。サーバＳＶとは、対象者ＥＰが所有するポイントを記憶する記憶装置である。ポイントとは、エネルギーの使用料金の支払いに使用される点数である。上述したように、この一例では、エネルギーが電力である。したがって、ポイントとは、電力供給会社から供給を受ける電力の使用料金の支払いに使用される点数である。サーバＳＶには、対象者ＥＰを識別する情報と、当該対象者ＥＰが所有するポイントの数とが関連付けられて記憶される。例えば、対象者ＥＰは、電力供給会社に電力の使用料金を支払う際、又は当該使用料金が確定した際に特典としてポイントを取得する。
この一例では、対象者ＥＰが既知の方法によって、電力の使用料金の支払いに使用するポイントの数を指定する。既知の方法とは、例えば、対象者ＥＰがインターネットを介して電力供給会社のサイトにアクセスし、使用するポイントの数を入力し、使用するポイントの数を指定する。対象者ＥＰが指定したポイントを、当該対象者ＥＰが所有する場合、サーバＳＶは、対象者ＥＰが指定するポイントの数を示すポイント数情報ＰＮを料金算出装置１に送信する。
以降の説明において、Ａさんが指定するポイントの数を示すポイント数情報ＰＮをポイント数情報ＰＮ１と記載する。サーバＳＶは、Ａさんが指定したポイントの数を示すポイント数情報ＰＮ１を料金算出装置１に送信する。
【００１７】
上述したように、料金算出装置１は、計測器ＳＭから使用量情報ＡＵを取得する。また、料金算出装置１は、サーバＳＶからポイントの数を示すポイント数情報ＰＮを取得する。
この一例では、料金算出装置１は、Ａさんの家屋Ｈ１に備えられる計測器ＳＭ１から第１使用量情報ＡＵ１を取得する。また、料金算出装置１は、サーバＳＶからＡさんが指定したポイントの数を示すポイント数情報ＰＮ１を取得する。
料金算出装置１は、第１使用量情報ＡＵ１に基づいて、Ａさんが家屋Ｈ１において使用する電力の使用料金を算出する。また、料金算出装置１は、ポイント数情報ＰＮ１が示すポイントに応じた価値を算出し、Ａさんが家屋Ｈ１において使用する電力の使用料金から当該価値を差し引いた請求料金を算出する。
【００１８】
［料金算出装置の構成について］
以下、図２を参照して、料金算出装置１の構成について説明する。
図２は、第１実施形態の料金算出装置１の構成の一例を示す図である。
料金算出装置１は、制御部１００を備える。制御部１００は、ＣＰＵ（Ｃｅｎｔｒａｌ  Ｐｒｏｃｅｓｓｉｎｇ  Ｕｎｉｔ）を備えており、取得部１０５と、価値算出部１１０と、料金算出部１２０と、出力部１３０とをその機能部として備える。
取得部１０５は、データセンターＤＣからポイント数情報ＰＮ１を取得する。また、取得部１０５は、計測器ＳＭ１から第１使用量情報ＡＵ１を取得する。取得部１０５は、取得したポイント数情報ＰＮ１を価値算出部１１０に供給する。取得部１０５は、取得した第１使用量情報ＡＵ１を料金算出部１２０に供給する。
【００１９】
価値算出部１１０は、取得部１０５からポイント数情報ＰＮ１を取得する。価値算出部１１０は、取得したポイント数情報ＰＮ１に基づいて、ポイント数情報ＰＮ１が示すポイントの価値Ｖを算出する。
この一例では、Ａさんが５ポイントを使用することを指定する。したがって、ポイント数情報ＰＮ１は、ポイントの数が「５」であることを示す。また、この一例では、ポイントに応じる価値Ｖが一定のエネルギー量によって示される。具体的には、この一例では、１ポイントは、５ｋＷｈである。
価値算出部１１０は、ポイント数情報ＰＮ１に基づいて、当該ポイント数情報ＰＮ１の価値Ｖを算出する。この一例では、ポイント数情報ＰＮ１が５ポイントであるため、価値算出部１１０は、ポイント数情報ＰＮ１が示すポイントの価値Ｖを「２５ｋＷｈ」と算出する。価値算出部１１０は算出した価値Ｖを示す情報を料金算出部１２０に供給する。
【００２０】
料金算出部１２０は、取得部１０５から使用量情報ＡＵを取得する。料金算出部１２０は、価値算出部１１０から価値Ｖを示す情報を取得する。
料金算出部１２０は、取得した使用量情報ＡＵに基づいて、当該使用量情報ＡＵを送信する計測器ＳＭが備えられる施設において使用される電力の使用料金を算出する。
具体的には、料金算出部１２０は、第１使用量情報ＡＵ１に基づいて、第１料金ＣＧ１を算出する。
第１料金ＣＧ１とは、第１対象者ＥＰ１のエネルギーの使用料金である。つまり、この一例では、第１料金ＣＧ１とは、Ａさんが使用する電力の使用料金である。
また、この一例では、第１使用量情報ＡＵ１は、一か月にＡさんが使用する電力量が７００ｋＷｈであることを示す。また、この一例では、１ｋＷｈが２０円である。したがって、料金算出部１２０は、第１料金ＣＧ１を１４０００円と算出する。
【００２１】
また、料金算出部１２０は、価値算出部１１０から価値Ｖを示す情報を取得する。料金算出部１２０は、価値Ｖと第１料金ＣＧ１とに基づいて、第１料金ＣＧ１から価値Ｖに応じた料金が差し引かれた第１請求料金ＤＦ１を算出する。第１請求料金ＤＦ１とは、第１対象者ＥＰ１がエネルギー供給会社から請求されるエネルギーの使用料金である。この一例では、第１請求料金ＤＦ１とは、Ａさんが電力供給会社から請求される電力の使用料金である。
上述したように、この一例では、価値Ｖは、「２５ｋＷｈ」である。また、この一例では、１ｋＷｈが２０円である。したがって、料金算出部１２０は、価値Ｖに応じた料金を５００円であると算出する。
また、上述したように、この一例では、第１料金ＣＧ１が１４０００円である。したがって、料金算出部１２０は、１４０００円から５００円を差し引いた１３５００円を第１請求料金ＤＦ１として算出する。
料金算出部１２０は、算出した第１請求料金ＤＦ１を示す情報を出力部１３０に供給する。
出力部１３０は、料金算出部１２０から第１請求料金ＤＦ１を示す情報を取得する。出力部１３０は、第１請求料金ＤＦ１を示す情報を出力する。
【００２２】
［料金算出装置の動作について］
以下、図３を参照して、本実施形態の料金算出装置１の動作について説明する。
図３は、第１実施形態の料金算出装置１の動作の一例を示す流れ図である。
料金算出装置１が備える取得部１０５は、サーバＳＶからポイント数情報ＰＮ１を取得する（ステップＳ１１０）。また、取得部１０５は、計測器ＳＭ１から第１使用量情報ＡＵ１を取得する（ステップＳ１２０）。価値算出部１１０は、取得部１０５が取得したポイント数情報ＰＮ１に基づいて、ポイント数情報ＰＮ１が示すポイントの価値Ｖを算出する（ステップＳ１３０）。料金算出部１２０は、取得部１０５から取得する第１使用量情報ＡＵ１と、価値算出部１１０から取得する価値Ｖを示す情報とに基づいて、第１請求料金ＤＦ１を算出する（ステップＳ１４０）。出力部１３０は、料金算出部１２０が算出した第１請求料金ＤＦ１を出力する（ステップＳ１５０）。
【００２３】
［第１実施形態のまとめ］
以上説明したように、本実施形態の料金算出装置１は、価値算出部１１０と、料金算出部１２０と、出力部１３０とを備える。価値算出部１１０は、第１対象者ＥＰ１が指定したポイントの価値Ｖを算出する。また、料金算出部１２０は、第１対象者ＥＰ１が使用する電力の使用料金である第１料金ＣＧ１を算出する。また、料金算出部１２０は、第１料金ＣＧ１から価値算出部１１０が算出する価値Ｖに応じた料金を差し引いた料金を第１請求料金ＤＦ１として算出する。出力部１３０は、料金算出部１２０が算出した第１請求料金ＤＦ１を出力する。したがって、本実施形態の料金算出装置１は、第１対象者ＥＰ１の電力の使用料金である第１料金ＣＧ１からポイントの価値Ｖを差し引いた第１請求料金ＤＦ１を算出する。
【００２４】
電力供給会社は、料金算出装置１が算出する第１請求料金ＤＦ１に基づいて、第１対象者ＥＰ１にポイントに応じた料金を差し引いた電力使用料金の請求を行うことができる。
したがって、本実施形態の料金算出装置１によれば、第１対象者ＥＰ１は、ポイントに応じた電力使用料金の値引きを受けることができる。本実施形態の料金算出装置１によれば、エネルギーの使用料金の支払いにポイントを使用する仕組みを提供することができる。
【００２５】
［第２実施形態］
第１実施形態では、対象者ＥＰが電力の使用料金を支払う特典としてポイントを取得する場合について説明したが、これに限られない。
第２実施形態では、対象者ＥＰが当該対象者ＥＰとは異なる対象者ＥＰからポイントを付与される点において、第１実施形態とは異なる。
以下、図を参照して本発明の第２実施形態について説明する。
なお、上述した第１実施形態と同様の構成については、同一の符号を付してその説明を省略する。
【００２６】
［料金算出装置の概要について］
図４は、第２実施形態の料金算出装置１の概要を示す図である。
図４に示す通り、ネットワークＮには、家屋Ｈ２が備える計測器ＳＭ２が接続される。家屋Ｈ２には、Ｂさんが居住する。Ｂさんとは、対象者ＥＰのうち、Ａさんとは異なる対象者ＥＰの第２対象者ＥＰ２である。Ｂさんは、電力供給会社と電力の使用契約を結び、家屋Ｈ２において使用される電力の使用料金を電力供給会社に支払う。
上述したように、計測器ＳＭは、ネットワークＮに接続され、所定の時間毎に使用量情報ＡＵを料金算出装置１にネットワークＮを介して送信する。
以降の説明において、エネルギーの供給を受ける第２対象者ＥＰ２が使用するエネルギーの使用量を示す使用量情報ＡＵを第２使用量情報ＡＵ２と記載する。この一例では、第２使用量情報ＡＵ２とは、Ｂさんが使用する電力の使用量情報ＡＵである。
【００２７】
［贈呈ポイントについて］
また、Ｂさんは、Ａさんに贈呈ポイントＧＰを付与する。贈呈ポイントＧＰとは、第２対象者ＥＰ２が第１対象者ＥＰ１に付与するポイントである。この一例では、Ｂさんは、電力の使用料金の支払いに使用されるポイントである贈呈ポイントＧＰをＡさんに贈呈する。
例えば、Ｂさんは、インターネットを介して電力供給会社のサイトにアクセスし、Ａさんに贈呈ポイントＧＰを付与する。Ａさんは、電力供給会社のサイトにおいて、Ｂさんから付与される贈呈ポイントＧＰを受領する操作を行う。Ａさんが、Ｂさんから付与される贈呈ポイントＧＰを受領する場合、贈呈ポイントＧＰは、サーバＳＶにＡさんのポイントとして登録される。
また、上述したように、Ａさんが既知の方法によって、電力の使用料金の支払いに使用する贈呈ポイントＧＰの数を指定する。既知の方法とは、例えば、Ａさんがインターネットを介して電力供給会社のサイトにアクセスし、使用する贈呈ポイントＧＰの数を入力し、使用する贈呈ポイントＧＰの数を指定する。Ａさんが指定した贈呈ポイントＧＰを、Ａさんが所有する場合、サーバＳＶは、Ａさんが指定する贈呈ポイントＧＰの数を示す贈呈ポイント数情報ＧＰＮを料金算出装置１に送信する。
以降の説明において、Ａさんが指定する贈呈ポイントＧＰの数を示す贈呈ポイント数情報ＧＰＮを贈呈ポイント数情報ＧＰＮ１と記載する。サーバＳＶは、Ａさんが指定する贈呈ポイントＧＰの数を示す贈呈ポイント数情報ＧＰＮ１を料金算出装置１に送信する。
【００２８】
上述したように、Ａさんは、Ｂさんから付与された贈呈ポイントＧＰを電力の使用料金の支払いに使用する場合がある。この場合、Ａさんは、贈呈ポイントＧＰの価値に応じた料金を、Ａさんの電力の使用料金から差し引いた料金が請求される。これに対して、Ｂさんは、Ａさんが電力の使用料金の支払いに使用する贈呈ポイントＧＰの価値に応じた料金を、Ｂさんの電力の使用料金に加えられた料金が請求される。
【００２９】
具体的には、料金算出装置１は、Ａさんの家屋Ｈ１に備えられる計測器ＳＭ１から第１使用量情報ＡＵ１を取得する。また、料金算出装置１は、Ｂさんの家屋Ｈ２に備えられる計測器ＳＭ２から第２使用量情報ＡＵ２を取得する。また、料金算出装置１は、サーバＳＶからＡさんが指定した贈呈ポイントＧＰの数を示す贈呈ポイント数情報ＧＰＮ１を取得する。
料金算出装置１は、第１使用量情報ＡＵ１に基づいて、Ａさんが家屋Ｈ１において使用する電力の使用料金を算出する。料金算出装置１は、第２使用量情報ＡＵ２に基づいて、Ｂさんが家屋Ｈ２において使用する電力の使用料金を算出する。また、料金算出装置１は、贈呈ポイント数情報ＧＰＮ１が示す贈呈ポイントＧＰに応じた価値を算出し、Ａさんが家屋Ｈ１において使用する電力の使用料金から当該価値を差し引いた請求料金を算出する。また、料金算出装置１は、贈呈ポイント数情報ＧＰＮ１が示す贈呈ポイントＧＰに応じた価値を算出し、Ｂさんが家屋Ｈ２において使用する電力の使用料金から当該価値が加えられた請求料金を算出する。
【００３０】
なお、上述では、Ａさんが付与された贈呈ポイントＧＰのうち、Ａさんが使用する贈呈ポイントＧＰの価値に応じてＢさんの使用する電力の使用料金に当該価値が加えられる場合について説明したが、これに限られない。
例えば、Ａさんが贈呈ポイントＧＰを使用するか否かに関わらず、Ｂさんから付与された贈呈ポイントＧＰをＡさんが受領したことに応じて、Ｂさんの電力の使用料金にＢさんが付与した贈呈ポイントＧＰの価値が加えられてもよい。
【００３１】
［料金算出装置の構成について］
以下、図５を参照して、料金算出装置１の構成について説明する。
図５は、第２実施形態の料金算出装置１の構成を示す図である。
取得部１０５は、データセンターＤＣから贈呈ポイント数情報ＧＰＮ１を取得する。取得部１０５は、計測器ＳＭ１から第１使用量情報ＡＵ１を取得する。取得部１０５は、計測器ＳＭ２から第２使用量情報ＡＵ２を取得する。
また、取得部１０５は、取得した贈呈ポイント数情報ＧＰＮ１を価値算出部１１０に供給する。取得部１０５は、取得した第１使用量情報ＡＵ１と第２使用量情報ＡＵ２とを料金算出部１２０に供給する。
【００３２】
価値算出部１１０は、取得部１０５から贈呈ポイント数情報ＧＰＮを取得する。価値算出部１１０は、取得した贈呈ポイント数情報ＧＰＮに基づいて、贈呈ポイント数情報ＧＰＮが示す贈呈ポイントＧＰの価値Ｖである贈呈価値ＧＶを算出する。
この一例では、Ａさんが贈呈ポイントＧＰであるポイントを５ポイント使用することを指定する。したがって、贈呈ポイント数情報ＧＰＮ１は、贈呈ポイントＧＰの数が「５」であることを示す。また、この一例では、贈呈ポイントＧＰに応じる贈呈価値ＧＶが一定のエネルギー量によって示される。具体的には、この一例では、贈呈ポイントＧＰ１ポイントは、５ｋＷｈである。
すなわち、価値算出部１１０は、贈呈ポイント数情報ＧＰＮ１が示すポイントの贈呈価値ＧＶを「２５ｋＷｈ」と算出する。価値算出部１１０は算出した贈呈価値ＧＶを示す情報を料金算出部１２０に供給する。
【００３３】
上述したように、料金算出部１２０は、第１使用量情報ＡＵ１に基づいて、第１料金ＣＧ１を算出する。また、料金算出部１２０は、第２使用量情報ＡＵ２に基づいて、第２料金ＣＧ２を算出する。
第２料金ＣＧ２とは、第２対象者ＥＰ２のエネルギーの使用料金である。この一例では、第２料金ＣＧ２とは、Ｂさんが使用する電力の使用料金である。
上述したように、第１使用量情報ＡＵ１は、一か月にＡさんが使用する電力量が７００ｋＷｈであることを示す。また、１ｋＷｈが２０円である。したがって、料金算出部１２０は、第１料金ＣＧ１を１４０００円と算出する。
また、この一例では、第２使用量情報ＡＵ２は、一か月にＢさんが使用する電力量が７５０ｋＷｈであることを示す。したがって、料金算出部１２０は、第２料金ＣＧ２を１５０００円と算出する。
【００３４】
また、料金算出部１２０は、価値算出部１１０から贈呈価値ＧＶを示す情報を取得する。料金算出部１２０は、贈呈価値ＧＶと第１料金ＣＧ１とに基づいて、第１料金ＣＧ１から贈呈価値ＧＶに応じた料金が差し引かれた第１請求料金ＤＦ１を算出する。
上述したように、この一例では、贈呈価値ＧＶは、「２５ｋＷｈ」である。また、この一例では、１ｋＷｈが２０円である。したがって、料金算出部１２０は、贈呈価値ＧＶに応じた料金を５００円であると算出する。
また、上述したように、この一例では、第１料金ＣＧ１が１４０００円である。したがって、料金算出部１２０は、１４０００円から５００円を差し引いた１３５００円を第１請求料金ＤＦ１として算出する。
【００３５】
また、料金算出部１２０は、価値算出部１１０から贈呈価値ＧＶを示す情報を取得する。料金算出部１２０は、贈呈価値ＧＶと第２料金ＣＧ２とに基づいて、第２料金ＣＧ２に贈呈価値ＧＶに応じた料金が加えられた第２請求料金ＤＦ２を算出する。
上述したように、この一例では、第２料金ＣＧ２が１５０００円である。したがって、料金算出部１２０は、１５０００円に５００円が加えられた１５５００円を第２請求料金ＤＦ２として算出する。
料金算出部１２０は、算出した第１請求料金ＤＦ１及び第２請求料金ＤＦ２を示す情報を出力部１３０に供給する。
出力部１３０は、料金算出部１２０から第１請求料金ＤＦ１及び第２請求料金ＤＦ２を示す情報を取得する。出力部１３０は、第１請求料金ＤＦ１及び第２請求料金ＤＦ２を示す情報を出力する。
【００３６】
［第２実施形態のまとめ］
以上説明したように、本実施形態の料金算出装置１は、価値算出部１１０と、料金算出部１２０と、出力部１３０とを備える。価値算出部１１０は、第１対象者ＥＰ１が指定した贈呈ポイントＧＰの贈呈価値ＧＶを算出する。料金算出部１２０は、第１対象者ＥＰ１が使用する電力の使用料金である第１料金ＣＧ１を算出し、第１料金ＣＧ１から贈呈価値ＧＶに応じた料金を差し引いた料金を第１請求料金ＤＦ１として算出する。また、料金算出部１２０は、第２対象者ＥＰ２が使用する電力の使用料金である第２料金ＣＧ２を算出し、第２料金ＣＧ２に贈呈価値ＧＶに応じた料金が加えられた料金を第２請求料金ＤＦ２として算出する。出力部１３０は、料金算出部１２０が算出した第１請求料金ＤＦ１と第２請求料金ＤＦ２とを出力する。
したがって、本実施形態の料金算出装置１は、第１対象者ＥＰ１の電力の使用料金である第１料金ＣＧ１から贈呈ポイントＧＰの贈呈価値ＧＶを差し引いた第１請求料金ＤＦ１を算出する。また、本実施形態の料金算出装置１は、第２対象者ＥＰ２の電力の使用料金である第２料金ＣＧ２から贈呈ポイントＧＰの贈呈価値ＧＶが加えられた第２請求料金ＤＦ２を算出する。
【００３７】
エネルギー供給会社ＥＣからエネルギーの供給を受ける対象者ＥＰは、他の対象者ＥＰにエネルギーをプレゼントしたい場合がある。
例えば、第１対象者ＥＰ１である高齢者は、夏の気温が高い時期であっても電力の使用料金が上昇することを懸念して冷房の使用を控える場合がある。この場合、高齢者は、体調を崩してしまう場合がある。
ここで、高齢者とは異なる家屋Ｈに居住する親族等の第２対象者ＥＰ２は、高齢者に贈呈ポイントＧＰをプレゼントすることによって、高齢者に気兼ねなく電力を使用することを促すことができる。
【００３８】
したがって、本実施形態の料金算出装置１によれば、第１対象者ＥＰ１は、ポイントに応じた電力使用料金の値引きを受けることができる。また、本実施形態の料金算出装置１によれば、第２対象者ＥＰ２は、プレゼントした贈呈ポイントＧＰの代金を電力使用料金として支払うことができる。
また、電力供給会社は、贈呈ポイントＧＰが使用されることに伴う値引き及び支払いを電力使用料金によって処理することができるので、他の金融機関等を使用する手間を低減することができる。
【００３９】
なお、ＡさんがＢさんから付与された贈呈ポイントＧＰに応じた贈呈価値ＧＶがＢさんの電力の使用料金（第２請求料金ＤＦ２）として支払われる構成に代えて、ＡさんがＢさんから付与された贈呈ポイントＧＰをＢさんが所有するポイントから差し引く構成であってもよい。この場合、サーバＳＶは、第１対象者ＥＰ１が指定する贈呈ポイント数情報ＧＰＮが示す贈呈ポイントＧＰの数を、第２対象者ＥＰ２が所有するポイントの数から差し引く機能を有していてもよい。
【００４０】
［第３実施形態］
第１実施形態及び第２実施形態では、ポイントに応じる価値Ｖ又は贈呈ポイントＧＰに応じる贈呈価値ＧＶが一定のエネルギー量によって示される場合について説明したが、これに限られない。
第３実施形態では、ポイントに応じる価値Ｖ又は贈呈ポイントＧＰに応じる贈呈価値ＧＶが、時間帯等に応じて異なる電力量である点において、第１実施形態及び第２実施形態とは異なる。
以下、図を参照して本発明の第３実施形態について説明する。
なお、上述した第１実施形態及び第２実施形態と同様の構成については、同一の符号を付してその説明を省略する。
【００４１】
［計測器がスマートメータの場合について］
ここで、計測器ＳＭがスマートメータである場合について説明する。計測器ＳＭがスマートメータである場合、計測器ＳＭは、計測器ＳＭが電力量計である場合と比較して、使用量情報ＡＵを１か月より短い時間間隔によって使用量情報ＡＵを料金算出装置２に送信することができる。１か月より短い時間間隔とは、例えば、３０分毎や、１時間毎である。
この場合、計測器ＳＭは、エネルギーの使用量と、エネルギーが使用される時刻とが関連付けられた使用量情報ＡＵを料金算出装置２に送信する。この一例では、計測器ＳＭは、電力の使用量と、電力が使用される時刻とを関連付けて使用量情報ＡＵとして料金算出装置２に送信する。
また、電力供給会社は、家屋Ｈにおいて電力が使用される時刻を検出できる場合、対象者ＥＰに対して時間帯ごとに電力の使用料金が異なる料金形態の契約を提供することができる。例えば、電力供給会社は、昼の時間帯の電力の使用料金を高価に設定し、深夜の時間帯の電力の使用料金を安価に設定した料金形態の契約を対象者ＥＰに対して提供することができる。以降の説明において、昼の時間帯の電力の使用料金を高価に設定し、深夜の時間帯の電力の使用料金を安価に設定した料金形態等、時間帯によって電力の使用料金が異なる契約を時間帯区分契約と記載する。
つまり、電力供給会社は、計測器ＳＭとしてスマートメータを備える対象者ＥＰに対して時間区分契約を提供することができる。
【００４２】
［料金算出装置の構成］
図６は、第３実施形態の料金算出装置２の構成の一例を示す図である。
本実施形態では、上述の第１実施形態と同様、Ａさんが特典として取得するポイントを使用する一例について説明する。
図６に示す通り、料金算出装置１は、制御部１００と、記憶部２００とを備える。記憶部２００には、予めポイント価値情報ＰＶが記憶される。
ポイント価値情報ＰＶとは、ポイントを使用する際の条件に応じたポイントの価値Ｖ又は贈呈ポイントＧＰの贈呈価値ＧＶを示す情報である。以降の説明において、ポイントと、贈呈ポイントＧＰとを区別しない場合には、総称してポイントと記載する。また、価値Ｖと、贈呈価値ＧＶとを区別しない場合には、総称して価値Ｖと記載する。
ポイント価値情報ＰＶとは、エネルギーを供給する時間帯である時間帯ＴＺと、エネルギー属性ＥＡに応じたポイントの価値Ｖを示す情報である。つまり、ポイント価値情報ＰＶは、電力を供給する時間帯ＴＺ及び電力の属性を示すエネルギー属性ＥＡに応じた価値Ｖを示す。
【００４３】
以下、図７を参照してポイント価値情報ＰＶの具体的な例について説明する。
図７は、第３実施形態のポイント価値情報ＰＶの一例を示す表である。
上述したように、ポイント価値情報ＰＶには、時間帯ＴＺ及びエネルギー属性ＥＡに応じたポイントの価値Ｖが示される。
この一例では、一日の時間帯を４つに区分する。具体的には、７時から１０時までを朝の時間帯である時間帯ＴＺ１とする。また、１０時から１７時までを昼の時間帯である時間帯ＴＺ２とする。また、１７時から２３時までを夜時間帯である時間帯ＴＺ３とする。また、２３時から７時までを深夜時間帯である時間帯ＴＺ４とする。
また、この一例では、ポイントによって１ｋＷｈの価値Ｖを得るためのポイントの数が時間帯ＴＺ毎に異なる。具体的には、時間帯ＴＺ１に使用する電力の使用料金の支払いにポイントを使用する場合、１０ポイントが１ｋＷｈの価値Ｖである。また、時間帯ＴＺ２に使用する電力の使用料金の支払いにポイントを使用する場合、３０ポイントが１ｋＷｈの価値Ｖである。また、時間帯ＴＺ３に使用する電力の使用料金の支払いにポイントを使用する場合、２０ポイントが１ｋＷｈの価値Ｖである。また、時間帯ＴＺ４に使用する電力の使用料金の支払いにポイントを使用する場合、５ポイントが１ｋＷｈの価値Ｖである。
【００４４】
また、この一例では、エネルギー属性ＥＡがグリーン電力である。グリーン電力とは、風力、太陽光及びバイオマスなどの自然エネルギーにより発電された電力である。この一例では、グリーン電力を使用する使用料金の支払いにポイントを使用する場合、４０ポイントが１ｋＷｈの価値Ｖである。
【００４５】
［ポイントを使用する際の条件の指定について］
Ａさんは、既知の方法によって、電力の使用料金の支払いに使用するポイントを使用する際の条件を指定する。既知の方法とは、例えば、Ａさんがインターネットを介して電力供給会社のサイトにアクセスし、使用するポイントの数を入力し、使用するポイントの数を指定する。また、Ａさんは、ポイントを使用する際の条件を入力し、当該条件を指定する。例えば、Ａさんは、電力の使用料金の支払いにポイントを使用する時間帯ＴＺを指定する又は、使用する電力のエネルギー属性ＥＡを指定する。この場合、サーバＳＶが送信するポイント数情報ＰＮ１には、ポイントを使用する際の条件である時間帯ＴＺ又はエネルギー属性ＥＡが含まれる。
【００４６】
図６に戻り、価値算出部１１０は、ポイント数情報ＰＮ１に含まれるポイントの数と、時間帯ＴＺ又はエネルギー属性ＥＡと、ポイント価値情報ＰＶとに基づいて、ポイントの価値Ｖを算出する。
この一例では、Ａさんが１５ポイントを使用することを指定する。したがって、ポイント数情報ＰＮ１は、ポイントの数が「１５」であることを示す。
また、この一例では、Ａさんがポイントを深夜の時間帯に使用する電力の使用料金に使用することを指定する。したがって、ポイント数情報ＰＮ１は、ポイントを使用する条件が時間帯ＴＺ４であることを示す。また、上述したように、この一例では、時間帯ＴＺ４における５ポイントの価値Ｖは、１ｋＷｈである。
すなわち、価値算出部１１０は、価値Ｖを「３ｋＷｈ」と算出する。価値算出部１１０は、算出した価値Ｖを示す情報を料金算出部１２０に供給する。
料金算出部１２０及び出力部１３０の詳細については、第２実施形態と同様であるため、説明を省略する。
【００４７】
［第３実施形態のまとめ］
以上説明したように、本実施形態の料金算出装置１が備える価値算出部１１０は、ポイント数情報ＰＮに基づいて、ポイントの価値Ｖを算出する。また、ポイント数情報ＰＮには、ポイント数情報ＰＮには、ポイントが使用される時間帯ＴＺ又はポイントが使用されるエネルギー属性ＥＡが含まれる。
【００４８】
ここで、対象者ＥＰは、所有するポイントをより効率的に使用する場合、ある電力量を得るためのポイントの数が少なく設定された時間帯ＴＺ又はエネルギー属性ＥＡを指定し、ポイントを使用する場合がある。この場合、対象者ＥＰは、他の時間帯ＴＺ又はエネルギー属性ＥＡに使用する場合と比較して、同一のポイント数からより多くの電力量を得ることができる。
また、電力供給会社は、時間帯ＴＺ又はエネルギー属性ＥＡ毎にポイントの価値Ｖを設定する。これにより、電力供給会社は、ポイント価値情報ＰＶに示すポイントの価値Ｖによって、電力を使用するように促したい時間帯ＴＺ又はエネルギー属性ＥＡにおいて対象者ＥＰが電力を使用するようにコントロールすることができる。
【００４９】
［第４実施形態］
第３実施形態では、ポイントに応じる価値Ｖが、時間帯等に応じて異なる電力量であって、かつポイントを所有する第１対象者ＥＰ１がポイントを使用する条件を設定する場合について説明したが、これに限られない。
第４実施形態では、贈呈ポイントＧＰに応じる贈呈価値ＧＶが、時間帯等に応じて異なる電力量であって、かつ第１対象者ＥＰ１に贈呈ポイントＧＰを付与する第２対象者ＥＰ２が当該贈呈ポイントＧＰの使用する条件を設定する点において、第３実施形態とは異なる。以下、図を参照して本発明の第３実施形態について説明する。
なお、上述した第１実施形態、第２実施形態及び第３実施形態と同様の構成については、同一の符号を付してその説明を省略する。
【００５０】
図８は、第４実施形態の料金算出装置２の構成の一例を示す図である。
本実施形態では、上述の第２実施形態と同様、ＢさんがＡさんに贈呈ポイントＧＰを付与する一例について説明する。
図８に示す通り、料金算出装置２は、制御部１００と、記憶部２００とを備える。記憶部２００には、予めポイント価値情報ＰＶが記憶される。
【００５１】
［贈呈ポイントを使用する際の条件の指定について］
Ｂさんは、Ａさんに付与する贈呈ポイントＧＰに当該贈呈ポイントＧＰを使用する際の条件を指定し、付与する。例えば、Ｂさんは、電力の使用料金の支払いにポイントを使用する時間帯ＴＺを指定する。また、例えば、Ｂさんは、使用する電力のエネルギー属性ＥＡを指定する。
Ａさんは、既知の方法によって、電力の使用料金の支払いに使用する贈呈ポイントＧＰの数を指定する。既知の方法とは、例えば、Ａさんがインターネットを介して電力供給会社のサイトにアクセスし、使用する贈呈ポイントＧＰの数を入力し、使用するポイントの数を指定する。この場合、Ａさんが贈呈ポイントＧＰの使用を指定することができるのは、Ｂさんが指定する贈呈ポイントＧＰの使用する際の条件に合致する時間帯ＴＺ又はエネルギー属性ＥＡである。
この場合、サーバＳＶが料金算出装置２に送信する贈呈ポイント数情報ＧＰＮには、贈呈ポイントＧＰの数の他、贈呈ポイントＧＰを使用する際の条件である時間帯ＴＺ又はエネルギー属性ＥＡが含まれる。
この一例では、価値算出部１１０は、贈呈ポイント数情報ＧＰＮ１に基づいて、贈呈ポイント数情報ＧＰＮ１が示す贈呈ポイントの数と、贈呈ポイント数情報ＧＰＮに含まれる時間帯ＴＺ又はエネルギー属性ＥＡとに基づいて、贈呈価値ＧＶを算出する。
【００５２】
また、この一例では、Ａさんが贈呈ポイントＧＰであるポイントを４０ポイント使用することを指定する。したがって、贈呈ポイント数情報ＧＰＮ１は、贈呈ポイントＧＰの数が「４０」であることを示す。
また、この一例では、Ｂさんが贈呈ポイントＧＰをエネルギー属性ＥＡがグリーン電力である電力の使用料金に使用することを指定する。上述したように、この一例では、エネルギー属性ＥＡにおける贈呈ポイントＧＰが４０ポイントの贈呈価値ＧＶは、１ｋＷｈである。
すなわち、価値算出部１１０は、贈呈価値ＧＶを「１ｋＷｈ」と算出する。価値算出部１１０は、算出した贈呈価値ＧＶを示す情報を料金算出部１２０に供給する。
料金算出部１２０及び出力部１３０の詳細については、第２実施形態と同様であるため、説明を省略する。
【００５３】
なお、上述では、贈呈ポイントＧＰに応じた贈呈価値ＧＶが、時間帯等に応じて異なる電力量であって、かつ第１対象者ＥＰ１に贈呈ポイントＧＰを付与する第２対象者ＥＰ２が当該贈呈ポイントＧＰの使用する条件を設定する場合について説明したが、これに限られない。例えば、第２対象者ＥＰ２が設定する贈呈ポイントＧＰの使用する条件に応じて第１対象者ＥＰ１が贈呈ポイントＧＰを使用できない場合がある。具体的には、第１対象者ＥＰ１が電力供給会社と時間帯区分契約を結ぶことができない場合、第１対象者ＥＰ１は、時間帯に応じて異なる贈呈価値ＧＶを受けることができない。この場合、第１対象者ＥＰ１は、第２対象者ＥＰ２が付与する贈呈ポイントＧＰであって、当該第２対象者ＥＰ２によって使用する条件が設定される贈呈ポイントＧＰを、当該条件とは異なる条件によって使用してもよい。例えば、第１対象者ＥＰ１は、贈呈ポイントＧＰを使用する際の条件を自ら指定してもよい。また、例えば、第１対象者ＥＰ１が使用する贈呈ポイントＧＰに応じる贈呈価値ＧＶが一定のエネルギー量によって示されていてもよい。
第１対象者ＥＰ１が贈呈ポイントＧＰを使用する際の条件を指定する構成については、第３実施形態と同様であるため、説明を省略する。また、第１対象者ＥＰ１が使用する贈呈ポイントＧＰに応じた贈呈価値ＧＶが一定のエネルギー量によって示される構成については、第１実施形態と同様であるため、説明を省略する。
【００５４】
［第４実施形態のまとめ］
以上説明したように、本実施形態の料金算出装置２が備える価値算出部１１０は、贈呈ポイント数情報ＧＰＮに基づいて、贈呈価値ＧＶを算出する。
贈呈ポイント数情報ＧＰＮには、贈呈ポイントＧＰが使用される時間帯ＴＺ又はポイントが使用されるエネルギー属性ＥＡが含まれる。
【００５５】
例えば、第１対象者ＥＰ１に贈呈ポイントＧＰを付与する第２対象者ＥＰ２は、付与した贈呈ポイントＧＰを特定の用途に使用することを求める場合がある。
具体的には、第２対象者ＥＰ２は、グリーン電力の普及を目的として第２対象者ＥＰ２にグリーン電力の使用を指定した贈呈ポイントＧＰを付与する。第１対象者ＥＰ１は、付与された贈呈ポイントＧＰをグリーン電力の使用料金に使用する。
本実施形態の料金算出装置２によれば、第２対象者ＥＰ２が求める用途に贈呈ポイントＧＰが使用される仕組みを提供することができる。
【００５６】
［ポイントの価値が金額によって示される場合について］
また、上述では、価値Ｖ又は贈呈価値ＧＶがエネルギー量によって示される場合について説明したが、これに限られない。価値Ｖ又は贈呈価値ＧＶが、金額によって示されてもよい。この場合、Ａさんは、Ａさんが使用するポイントの価値Ｖ又は贈呈ポイントＧＰの贈呈価値ＧＶが示す金額に電力の使用料金が達するまでの間、電力の供給を受けることができる。
【００５７】
以下、Ａさんが家屋Ｈ１にスマートメータを備え、かつポイントの価値が金額によって示される場合について説明する。
ここで、Ａさんは家屋Ｈ１にスマートメータを備えることに伴って、時間帯区分契約を電力供給会社と結ぶ。
Ａさんは、ポイント又は贈呈ポイントＧＰを深夜の時間帯に使用することを指定する場合、電力供給会社と、時間帯区分契約を結んでいない対象者ＥＰと比較して、長い時間電力の供給を受けることができる。
【００５８】
なお、上述では、第１対象者ＥＰ１の第１料金ＣＧ１からポイントが示す価値Ｖ又は贈呈ポイントＧＰが示す贈呈価値ＧＶに応じて差し引かれる料金と、第２対象者ＥＰ２の第２料金ＣＧ２に加えられる料金とが、一致する場合について説明したが、これに限られない。
例えば、電力供給会社等のエネルギー供給会社ＥＣは、ポイント手続の手数料として価値Ｖ又は贈呈価値ＧＶの一部を集金してもよい。つまり、第１対象者ＥＰ１の第１料金ＣＧ１からポイントが示す価値Ｖ又は贈呈ポイントＧＰが示す贈呈価値ＧＶに応じて差し引かれる料金と、第２対象者ＥＰ２の第２料金ＣＧ２に加えられる料金とが一致していなくてもよい。
【００５９】
また、上述では、計測器ＳＭが電力量計又はスマートメータである場合について説明したが、これに限られない。エネルギー供給会社ＥＣが供給するエネルギーがガスである場合、計測器ＳＭは、ガスの使用量を計測するガスメータであってもよい。また、エネルギー供給会社ＥＣが供給するエネルギーが水道である場合には、計測器ＳＭは、水道の使用量を使用する水道メータであってもよい。
【００６０】
また、上述では、料金算出装置１又は料金算出装置２によって対象者ＥＰのポイントに基づいて第１料金ＣＧ１、又は第１料金ＣＧ１及び第２料金ＣＧ２が算出される場合について説明したが、これに限られない。料金算出装置１又は料金算出装置２は、ポイントに代えて、対象者ＥＰに付与される電力量に基づいて、第１料金ＣＧ１、又は第１料金ＣＧ１及び第２料金ＣＧ２を算出する構成であってもよい。
この場合、料金算出装置１は、第１対象者ＥＰ１に付与される電力量を第１使用量情報ＡＵ１から電力量を差し引いた第１料金ＣＧ１を算出してもよい。また、料金算出装置２は、第２対象者ＥＰ２から第１対象者ＥＰ１に付与される電力量を第１使用量情報ＡＵ１から差し引き、第１料金ＣＧ１を算出してもよい。また、料金算出装置２は、当該電力量を第２使用量情報ＡＵ２に加え、第２料金ＣＧ２を算出してもよい。
【００６１】
また、上述では、対象者ＥＰが電力供給会社のサイトにアクセスし、対象者ＥＰがインターネットを介して電力供給会社のサイトにアクセスし、使用するポイントの数を入力し、使用するポイントの数を指定する場合について説明したが、これに限られない。ポイントは、電力供給会社とは異なる会社によって管理されてもよい。ポイントを管理する管理会社は、例えば、第１対象者ＥＰ１及び第２対象者ＥＰ２が異なる電力供給会社と契約を結んでいる場合、第２対象者ＥＰ２が第１対象者ＥＰ１に付与する贈呈ポイントＧＰを電力供給会社が設定する交換率等に基づいて算出し、付与してもよい。
【００６２】
なお、上記の各実施形態における料金算出装置１又は料金算出装置２が備える各部は、専用のハードウェアにより実現されるものであってもよく、また、メモリおよびマイクロプロセッサにより実現させるものであってもよい。
【００６３】
なお、料金算出装置１又は料金算出装置２が備える各部は、メモリおよびＣＰＵ（中央演算装置）により構成され、料金算出装置１又は料金算出装置２が備える各部の機能を実現するためのプログラムをメモリにロードして実行することによりその機能を実現させるものであってもよい。
【００６４】
また、料金算出装置１又は料金算出装置２が備える各部の機能を実現するためのプログラムをコンピュータ読み取り可能な記録媒体に記録して、この記録媒体に記録されたプログラムをコンピュータシステムに読み込ませ、実行することにより処理を行ってもよい。なお、ここでいう「コンピュータシステム」とは、ＯＳや周辺機器等のハードウェアを含むものとする。
【００６５】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであってもよく、さらに前述した機能をコンピュータシステムにすでに記録されているプログラムとの組み合わせで実現できるものであってもよい。
【００６６】
以上、本発明の実施形態を、図面を参照して詳述してきたが、具体的な構成はこの実施形態に限られるものではなく、本発明の趣旨を逸脱しない範囲で適宜変更を加えることができる。上述した各実施形態に記載の構成を組み合わせてもよい。
【符号の説明】
【００６７】
１、２…料金算出装置、１００…制御部、１０５…取得部、１１０…価値算出部、１２０…料金算出部、１３０…出力部、２００…記憶部、ＥＣ…エネルギー供給会社、ＤＣ…データセンター、ＳＶ…サーバ、Ｈ、Ｈ１、Ｈ２…家屋、ＡＵ…使用量情報、ＡＵ１…第１使用量情報、ＡＵ２…第２使用量情報、ＣＧ１…第１料金、ＣＧ２…第２料金、ＤＦ１…第１請求料金、ＤＦ２…第２請求料金、ＥＰ…対象者、ＥＰ１…第１対象者、ＥＰ２…第２対象者、ＧＰ、ＧＰ１…贈呈ポイント、ＧＰＮ、ＧＰＮ１…贈呈ポイント数情報、ＧＶ…贈呈価値、ＰＮ、ＰＮ１…ポイント数情報、Ｖ…価値、ＳＭ、ＳＭ１、ＳＭ２…計測器、ＰＶ…ポイント価値情報、ＴＺ、ＴＺ１、ＴＺ２、ＴＺ３、ＴＺ４…時間帯、ＥＡ…エネルギー属性
【図１】
2018041370.tif 000003
【図２】
2018041370.tif 000004
【図３】
2018041370.tif 000005
【図４】
2018041370.tif 000006
【図５】
2018041370.tif 000007
【図６】
2018041370.tif 000008
【図７】
2018041370.tif 000009
【図８】
2018041370.tif 000010